(57)【要約】【課題】巻付部材からのワイヤーの外れ、或は、巻付部材とワイヤーとが絡まることを防止したワイヤー巻き取り・繰り出し装置、及びそのワイヤー巻き取り・繰り出し装置を備えた空調室内機の可動パネル昇降装置を提供する。【解決手段】昇降装置７は、昇降モータ７６によってボビン７３を回転させ、ボビン７３の外周面７３ａにワイヤー７１を巻き付ける。ボビン７３の外周面７３ａに巻き付いたワイヤー７１には、円弧状に成形された樹脂製の付勢部材７０が弾性力によって覆い被さり、ワイヤー７１を外周面７３ａ側に押付ける。ボビン７３がワイヤー７１を巻き取るとき、山状に巻き付くワイヤー７１を付勢部材７０が押える。【選択図】図５
2010025416.tif 000002
【特許請求の範囲】
【請求項１】
対象物に接続されたワイヤー（７１）を巻き取り、又は繰り出すためのワイヤー巻き取り・繰り出し装置であって、
モータ（７６）と、
前記モータ（７６）によって回転駆動され外周面（７３ａ）に前記ワイヤー（７１）が巻き付く巻付部材（７３）と、
巻き付いた状態の前記ワイヤー（７１）に前記巻付部材（７３）の外周側から接触して前記ワイヤー（７１）を前記巻付部材（７３）の前記外周面（７３ａ）に押付ける付勢部材（７０）と、
を備えた、
ワイヤー巻き取り・繰り出し装置（７）。
【請求項２】
前記付勢部材（７０）は、前記ワイヤー（７１）の前記外周面（７３ａ）からの高さ変化に対して弾性変形によって追従する、
請求項１に記載のワイヤー巻き取り・繰り出し装置（７）。
【請求項３】
前記付勢部材（７０）が樹脂製である、
請求項１に記載のワイヤー巻き取り・繰り出し装置（７）。
【請求項４】
前記付勢部材（７０）が金属製である、
請求項１に記載のワイヤー巻き取り・繰り出し装置（７）。
【請求項５】
前記付勢部材（７０）の縦断面が円弧形状である、
請求項１に記載のワイヤー巻き取り・繰り出し装置（７）。
【請求項６】
前記付勢部材（７０）には、前記円弧形状の中心に対して中心角１８０°以上の円弧（７０ａ）が形成されている、
請求項５に記載のワイヤー巻き取り・繰り出し装置（７）。
【請求項７】
前記付勢部材（７０）には、前記ワイヤー（７１）の巻き取り又は繰り出しの中心軸方向の振れを制限するする規制部材（７０ｂ）が設けられている、
請求項５に記載のワイヤー巻き取り・繰り出し装置（７）。
【請求項８】
空気吸込口（２０ａ）の近傍にワイヤー（７１）を介して吊られる可動パネル（２４）を、前記ワイヤー（７１）の動作によって昇降および／または前記空気吸込口（２０ａ）の開閉を行わせる空調室内機の可動パネル昇降装置であって、
前記ワイヤー（７１）を動作させる請求項１から請求項７のいずれか１項に記載のワイヤー巻き取り・繰り出し装置（７）を備えた、
空調室内機の可動パネル昇降装置。
【発明の詳細な説明】
【技術分野】
【０００１】
本発明は、ワイヤーを巻付部材に巻き付かせるワイヤー巻き取り・繰り出し装置、およびそのワイヤー巻き取り・繰り出し装置を備えた空調室内機の可動パネル昇降装置関する。
【背景技術】
【０００２】
従来、天井設置型の空調室内機として、化粧パネルの開口を昇降可能な可動パネルで閉じる空調室内機が広く知られている（例えば、特許文献１参照）。その空調室内機では、可動パネルは複数のワイヤーで吊られており、可動パネル昇降装置がそのワイヤーを繰り出すことによって可動パネルが降下し、ワイヤーを巻き取ることによって可動パネルが上昇する。
【０００３】
しかしながら、上記空調室内機に使用されている可動パネル昇降装置は、ワイヤーを糸巻形状の巻付部材に巻き付かせる構成であり、ワイヤーの上にワイヤーが重なるので、ワイヤーが巻付部材から外れて絡み合う可能性が高い。
【特許文献１】特開平１０−１９６９９９号公報
【発明の開示】
【発明が解決しようとする課題】
【０００４】
本発明の課題は、巻付部材からのワイヤーの外れ、或は、巻付部材とワイヤーとが絡まることを防止したワイヤー巻き取り・繰り出し装置、及びそのワイヤー巻き取り・繰り出し装置を備えた空調室内機の可動パネル昇降装置を提供することにある。
【課題を解決するための手段】
【０００５】
第１発明に係るワイヤー巻き取り・繰り出し装置は、対象物に接続されたワイヤーを巻き取り、又は繰り出すためのワイヤー巻き取り・繰り出し装置であって、モータと、巻付部材と、付勢部材とを備えている。巻付部材は、モータによって回転駆動され外周面にワイヤーが巻き付く。付勢部材は、巻き付いた状態のワイヤーに巻付部材の外周側から接触してワイヤーを巻付部材の外周面に押付ける。
【０００６】
このワイヤー巻き取り・繰り出し装置では、ワイヤーを巻き取るとき、付勢部材によってワイヤーが山状に巻き付くことが抑制されるので、ワイヤーが巻付部材を越えて外れることが防止される。また、ワイヤーが繰り出されるとき、ワイヤーに作用する負荷がなくなり張力がなくなった場合でも、巻付部材に巻きついていたワイヤーが緩んで解けることが防止されるので、巻付部材とワイヤーとが絡まることが防止される。
【０００７】
第２発明に係るワイヤー巻き取り・繰り出し装置は、第１発明に係るワイヤー巻き取り・繰り出し装置であって、付勢部材が、ワイヤーの外周面からの高さ変化に対して弾性変形によって追従する。
【０００８】
このワイヤー巻き取り・繰り出し装置では、巻かれたワイヤーの高さが変化したときでも、ワイヤーと付勢部材との隙間が瞬時に詰められるので、ワイヤーが緩んで解けることが防止され、巻付部材からのワイヤーの外れ、或は、巻付部材とワイヤーとが絡まることが防止される。
【０００９】
第３発明に係るワイヤー巻き取り・繰り出し装置は、第１発明に係るワイヤー巻き取り・繰り出し装置であって、付勢部材が樹脂製である。このワイヤー巻き取り・繰り出し装置では、ワイヤーと付勢部材との摩擦が小さく、ワイヤーの傷つきが抑制される。また、ワイヤーと付勢部材との摩擦音も抑制される。
【００１０】
第４発明に係るワイヤー巻き取り・繰り出し装置は、第１発明に係るワイヤー巻き取り・繰り出し装置であって、付勢部材が金属製である。このワイヤー巻き取り・繰り出し装置では、付勢部材の耐久性が向上する。
【００１１】
第５発明に係るワイヤー巻き取り・繰り出し装置は、第１発明に係るワイヤー巻き取り・繰り出し装置であって、付勢部材の縦断面が円弧形状である。このワイヤー巻き取り・繰り出し装置では、ワイヤーの巻き形状に沿いやすく、省スペースである。
【００１２】
第６発明に係るワイヤー巻き取り・繰り出し装置は、第５発明に係るワイヤー巻き取り・繰り出し装置であって、付勢部材には、円弧形状の中心に対して中心角１８０°以上の円弧が形成されている。このワイヤー巻き取り・繰り出し装置では、付勢部材単体で巻付部材及びワイヤーに装着可能であり、外れて落下することが防止される。
【００１３】
第７発明に係るワイヤー巻き取り・繰り出し装置は、第５発明に係るワイヤー巻き取り・繰り出し装置であって、付勢部材には、ワイヤーの巻き取り又は繰り出しの中心軸方向の振れを制限するする規制部材が設けられている。このワイヤー巻き取り・繰り出し装置では、巻取部材の回転時に付勢部材が回転軸方向に振れないので、ワイヤーが巻取部材に安定して巻き付く。
【００１４】
第８発明に係る空調室内機の可動パネル昇降装置は、空気吸込口の近傍にワイヤーを介して吊られる可動パネルを、ワイヤーの動作によって昇降および／または空気吸込口の開閉を行わせる空調室内機の可動パネル昇降装置であって、ワイヤーを動作させる第１発明から第７発明のいずれか１つに係るワイヤー巻き取り・繰り出し装置を備えている。
【００１５】
この可動パネル昇降装置では、可動パネルを降下させるとき、ワイヤーに作用する負荷がなくなり張力がなくなった場合でも、巻付部材に巻きついていたワイヤーが緩んで解けることが防止されるので、巻付部材とワイヤーとが絡まることが防止される。また、可動パネルを上昇させるとき、付勢部材によってワイヤーが山状に巻き付くことが抑制されるので、ワイヤーが巻付部材を越えて外れることが防止される。
【発明の効果】
【００１６】
第１発明に係るワイヤー巻き取り・繰り出し装置では、ワイヤーが巻付部材を越えて外れること、或は、巻付部材とワイヤーとが絡まることが防止される。
【００１７】
第２発明に係るワイヤー巻き取り・繰り出し装置では、巻かれたワイヤーの高さが変化したときでも、ワイヤーと付勢部材との隙間が瞬時に詰められるので、巻付部材からのワイヤーの外れ、或は、巻付部材とワイヤーとが絡まることが防止される。
【００１８】
第３発明に係るワイヤー巻き取り・繰り出し装置では、ワイヤーと付勢部材との摩擦が小さく、ワイヤーの傷つきが抑制される。また、ワイヤーと付勢部材との摩擦音も抑制される。
【００１９】
第４発明に係るワイヤー巻き取り・繰り出し装置では、付勢部材の耐久性が向上する。
【００２０】
第５発明に係るワイヤー巻き取り・繰り出し装置では、付勢部材がワイヤーの巻き形状に沿いやすく、省スペースである。
【００２１】
第６発明に係るワイヤー巻き取り・繰り出し装置では、付勢部材単体で巻付部材及びワイヤーに装着可能であり、外れて落下することが防止される。
【００２２】
第７発明に係るワイヤー巻き取り・繰り出し装置では、巻取部材の回転時に付勢部材が回転軸方向に振れないので、ワイヤーが巻取部材に安定して巻き付く。
【００２３】
第８発明に係る空調室内機の可動パネル昇降装置では、可動パネルを降下させるとき、巻付部材とワイヤーとが絡まることが防止される。また、可動パネルを上昇させるとき、ワイヤーが巻付部材を越えて外れることが防止される。
【発明を実施するための最良の形態】
【００２４】
以下図面を参照しながら、本発明の実施形態について説明する。なお、以下の実施形態は、本発明の具体例であって、本発明の技術的範囲を限定するものではない。
【００２５】
＜空調室内機２の構成＞
図１は本発明の一実施形態に係る昇降装置を備えた空調室内機の外観斜視図である。図１において、空調室内機２は、下面に吸込口２０ａ及び吹出口２０ｂを有する本体２０と、吸込口２０ａを開閉する可動パネル２４及び吹出口２０ｂを開閉する第１風向調節羽根５２とを備えている。吸込口２０ａと吹出口２０ｂとは一定距離を隔てて隣接しており、吹出口２０ｂから吹き出された空気が吸込口２０ａに吸い込まれる現象、いわゆるショートサーキットが発生しないようになっている。本体２０の下面は、化粧パネル２１によって覆われており、実際に天井面に露出するのは化粧パネル２１であって、吸込口２０ａ及び吹出口２０ｂの輪郭は化粧パネル２１によって形成されている。ここでは、化粧パネル２１も本体２０に含まれている。
【００２６】
図２（ａ）は、空調室内機の運転停止時の側面図であり、（ｂ）は、その空調室内機の運転時の側面図であり、（ｃ）は、その空調室内機のメンテナンス時の側面図である。図２（ａ），（ｂ），（ｃ）において、空調室内機２が停止しているとき、可動パネル２４は化粧パネル２１と見かけ上一体化している。図２（ｂ）において、空調室内機２が稼動するとき、可動パネル２４は吸込口２０ａを開き、第１風向調節羽根５２は吹出口２０ｂを開く。可動パネル２４の一端は蝶番によって本体２０に支持されており、可動パネル２４は回動して吸込口２０ａを開ける。
【００２７】
また、図２（ｃ）において、可動パネル２４は、本体２０側から延びるワイヤー７１に吊られた状態で使用者の手が届くメンテナンス位置まで降下することができる。但し、可動パネル２４は、一端が蝶番によって本体２０に支持されている状態ではメンテナンス位置まで降下することができないので、一旦、吸込口２０ａを閉じて、本体２０による支持が解除されたのちにメンテナンス位置まで降下する。
【００２８】
図３は、空調室内機の断面図である。図３において、空調室内機２は、フィルタ９、フィルタ清掃機構１０、室内熱交換器１２、室内ファン１３、ドレンパン１４及び吹出口モジュール５０をさらに備えている。空調室内機２の運転時、吸込口２０ａ及び吹出口２０ｂが開き、室内ファン１３が回転し、空気が吸込口２０ａから吸い込まれる。
【００２９】
（室内熱交換器１２）
室内熱交換器１２は、２つの熱交換器が異なる傾斜姿勢で隣接した形状をしており、説明の便宜上、上側の熱交換器を上部熱交換器１２ａ、下側の熱交換器を下部熱交換器１２ｂと呼ぶ。
【００３０】
上部熱交換器１２ａの上端は本体２０の内側上部に位置し、上端から下端に向って傾斜する角度は、水平線に対して４５°以上６５°以下（好ましくは５５°）に設定されており、結露水が確実に上部熱交換器１２ａを伝わってドレンパン１４に向う。このため、ドレンパン１４は、上部熱交換器１２ａの下方全域に配置される必要が無く、上部熱交換器１２ａの下端近傍の下方にだけ配置されている。
【００３１】
下部熱交換器１２ｂの上端は、上部熱交換器１２ａの下端に近接して配置されており、上端から下端に向って傾斜する角度は、水平線に対して４５°未満である。このため、結露水が直接落下する可能性があるので、ドレンパン１４は、下部熱交換器１２ｂの下方全域に配置されている。
【００３２】
（室内ファン１３）
室内ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸い込まれた空気は、フィルタ９及び室内熱交換器１２を通過して室内ファン１３に入る。
【００３３】
室内ファン１３から吹き出された空気は、吹出口モジュール５０を通過して吹出口２０ｂから吹き出される。吹出口２０ｂには、吹出口モジュール５０の構成部品である第１風向調節羽根５２が配置されており、第１風向調節羽根５２は、モータによって傾斜角度の調節が可能であり、運転停止時は、第１風向調節羽根５２が吹出口２０ｂを閉じる。室内ファン１３とドレンパン１４との間で且つ吹出流路４１ａ側には、舌部１５が設けられており、この舌部１５が吹出空気の漏れを防止して、性能を向上させている。
【００３４】
＜フィルタ清掃機構１０＞
図３に示すように、空調室内機２は、可動パネル２４の上方に、フィルタ清掃機構１０を備えている。以下、フィルタ清掃機構１０の構成部材について説明する。
【００３５】
（フィルタ９）
フィルタ９は、室内熱交換器１２の前面側に配置され、室内から取り込まれた空気から塵埃を除去する。これにより、フィルタ９は、空気中に浮遊する塵埃が室内熱交換器１２の表面を汚染することを防止している。フィルタ９の縁部には、ピニオン歯車１０２ａと噛み合うラック１０１が形成されている。
【００３６】
（ローラー１０２）
ローラー１０２は、ピニオン歯車１０２ａを有している。ピニオン歯車１０２ａは、フィルタ９のラック１０１と噛み合っており、回転することによってフィルタ９を水平に移動させる。
【００３７】
（位置検知スイッチ１０７）
フィルタ９の停止位置は、位置検知スイッチ１０７によって検知される。位置検知スイッチ１０７は、前方収納部１０５の終端近傍、及び後方収納部１０６の終端近傍に配置されている。位置検知スイッチ１０７の外側には、レバーが蝶番によって装着されており、外力が加わると回動して位置検知スイッチ１０７のボタンを押す。
【００３８】
（ブラシ１０８とダストボックス１０９）
ブラシ１０８は、フィルタ９を挟んでローラー１０２と反対側に位置しフィルタ９に接触している。ダストボックス１０９は、上部の吹出口２０ｂ寄りに、塵埃取り込み口を有しており、塵埃取り込み口の長手方向の両端で、軸受を介してブラシ１０８の回転軸を支持する。さらに、塵埃取り込み口には、ブラシ１０８がフィルタ９から掻き取った塵埃をブラシ１０８からふるい落とす櫛部１０９ｃが取り付けられている。
【００３９】
（フィルタ９の清掃動作）
空調室内機２では、制御部により定期的に、或いは使用者が必要とするときにリモコンによってフィルタ９が自動的に清掃される。以下、その仕組みについて説明する。
【００４０】
図３において、フィルタ９のラック１０１は、前方収納部１０５に収まっており、ラック１０１の一端（以後、第１端部とよぶ）はピニオン歯車１０２ａと噛み合っている。ローラー１０２が回転するとき、ピニオン歯車１０２ａからラック１０１に回転が伝達され、フィルタ９のラック１０１は、ローラー１０２によって後方収納部１０６側へ搬送される。ローラー１０２が回転し続けることによって、ラック１０１の第１端部は後方収納部１０６の終端に到達する。
【００４１】
フィルタ９が移動する際に、フィルタ９の表面に付着していた塵埃はブラシ１０８によって掻き取られ、ダストボックス１０９に貯えられる。ブラシ１０８は、少なくともフィルタ９が前方収納部１０５から後方収納部１０６へ移動している期間中は回転しており、その回転方向は、フィルタ９の進行方向に逆らう方向である。
【００４２】
フィルタ９が前方収納部１０５から後方収納部１０６へ移動し塵埃の除去が終了したとき、制御部は、ローラー１０２を逆回転させる。フィルタ９のラック１０１の他端（以後、第２端部とよぶ）は、ピニオン歯車１０２ａと噛み合っているので、ピニオン歯車１０２ａからラック１０１に回転が伝達され、フィルタ９は、ローラー１０２によって前方収納部１０５側へ搬送される。ローラー１０２が逆回転し続けることによって、ラック１０１の第２端部は前方収納部１０５の終端に到達する。
【００４３】
＜可動パネル２４の動作に関連する装置＞
図４は、化粧パネルの斜視図である。図４に示すように、化粧パネル２１の天井側の面上には、ヒンジ連結装置６及び昇降装置７が配置されている。
【００４４】
（ヒンジ連結装置６）
ヒンジ連結装置６は、空調室内機２が稼動するときに可動パネル２４の一端を回動可能に支持し、可動パネル２４をメンテナンス位置まで降下させるときに可動パネル２４の一端の支持を解除する。具体的には、ヒンジ連結装置６のモータ６５が回転することによって、回動レバー６１が可動パネル２４の長手方向と平行に移動し可動パネル２４との連結又は連結解除を行う。ここでは、説明の便宜上、モータ６５が回動レバー６１を可動パネル２４と連結する方向へ移動させるように回転することを正転とよび、モータ６５が回動レバー６１と可動パネル２４との連結を解除する方向へ移動させるように回転することを逆転とよぶ。
【００４５】
可動パネル２４の端部には、回動レバー６１の支持軸と対峙する支持孔が設けられており、モータ６５が正転し、回動レバー６１の支持軸が可動パネル２４の支持孔に挿入されたときは、回動レバー６１と可動パネル２４との連結が成立し、可動パネル２４は、回動レバー６１の回動軸を中心に回動することができる。
【００４６】
一方、モータ６５が逆転し、回動レバー６１の支持軸が可動パネル２４の支持孔から抜け出たときは、回動レバー６１と可動パネル２４との連結が解消され、可動パネル２４は、回動レバー６１の回動軸を中心に回動することができない。
【００４７】
（昇降装置７）
図５は昇降装置内部の部品の配置図であり、図６は昇降装置のワイヤー巻き取り・繰り出し機構の分解斜視図である。図５、図６において、昇降装置７は、付勢部材７０、ワイヤー７１、滑車７２、ボビン７３、昇降モータ７６及びケース７８を有している。
【００４８】
ワイヤー７１の先端には、吊り金具７０８が接続されている。吊り金具７０８は、第１リング７０８ａと第２リング７０８ｂとを有しており、第１リング７０８ａはワイヤー７１に接続され、第２リング７０８ｂは可動パネル２４に連結される。
【００４９】
滑車７２は、滑車部７２ａとカム部７２ｂとが一体に成形されており、滑車部７２ａは、ワイヤー７１を支え、ワイヤー７１の移動に伴って回転する。カム部７２ｂは、小径曲面と大径曲面とそれら両曲面を結ぶ平面とから成る。
【００５０】
ボビン７３は、糸巻き形状をしており、ワイヤー７１が巻き付く外周面７３ａと、外周面７３ａを両端から挟むフランジ７３ｂとを有する。フランジ７３ｂは、外周面７３ａよりも直径が大きく、外周面７３ａに巻き付くワイヤー７１が外周面７３ａの両端から外れないように外周面７３ａの両端からワイヤー７１を挟んでいる。
【００５１】
ボビン７３の外周面７３ａには、円弧状の付勢部材７０が対向するように配置される。付勢部材７０は、円弧部７０ａと規制部７０ｂとを有している。円弧部７０ａは、中心角１８０°以上の円弧形状を成し、弾性力によって外周面７３ａに沿うことができる。外周面７３ａにワイヤー７１が巻き付いていないとき、円弧部７０ａは外周面７３ａに覆い被さり、外周面７３ａにワイヤー７１が巻き付いているときは、巻き付いたワイヤー７１に覆い被さってワイヤー７１を外周面７３ａに押付ける。
【００５２】
規制部７０ｂは、外周面７３ａに巻き付く直前のワイヤー７１を外周面７３ａから外れた軌道を通らないように規制する。したがって、ワイヤー７１が、外周面７３ａに巻き付く直前でボビン７３の回転軸方向に振れたとき、規制部７０ｂがワイヤー７１の振れを外周面７３ａの幅以内となるように規制している。
【００５３】
付勢部材７０は樹脂製であるので、ワイヤー７１の傷つき、ワイヤー７１と付勢部材７０との摩擦音も抑制される。但し、付勢部材７０の材料は、樹脂に限定されるものではなく、耐久性を高めるために金属製にしてもよい。
【００５４】
昇降モータ７６は、ステッピングモータであり、回転軸７６ａがボビン７３を直接回転させる。昇降モータ７６の回転数は、制御部から供給されるパルス数によって制御される。なお、制御部は、ＣＰＵ、メモリ及びモータドライブ回路を搭載しており、昇降装置７から離れた他の位置に配置されている。昇降モータ７６と制御部はワイヤーハーネスによって電気的に接続されている。
【００５５】
付勢部材７０、ワイヤー７１、滑車７２、ボビン７３及び昇降モータ７６は、昇降装置７のワイヤー巻き取り・繰り出し機構を構成する主要部品である。昇降装置７には、このワイヤー巻き取り・繰り出し機構に加えて、第１スイッチ７７及び第２スイッチ１７７をさらに備えている。
【００５６】
第１スイッチ７７は、レバー７７ａを有するマイクロスイッチであり、レバー７７ａが押されることによってオンする。レバー７７ａは、常に滑車７２のカム部７２ｂと接触しており、カム部７２ｂの大径曲面と対峙したときに押される。第１スイッチ７７も、制御部とワイヤーハーネスによって電気的に接続されている。
【００５７】
第２スイッチ１７７は、レバー１７７ａを有するマイクロスイッチであり、レバー１７７ａがヒンジ部材１７７ｂを介して押されることによってオンする。可動パネル２４が吸込口２０ａを閉じているとき、ヒンジ部材１７７ｂは可動パネル２４に押されて回動し、第２スイッチ１７７のレバー１７７ａを押している。可動パネル２４が吸込口２０ａを開けているとき、ヒンジ部材１７７ｂは可動パネル２４に押されていないので重力が作用する方向に回動し、第２スイッチ１７７のレバー１７７ａから離れる。第２スイッチ１７７も、制御部とワイヤーハーネスによって電気的に接続されている。
【００５８】
ケース７８には、滑車７２を収納する第１収納部７８ａと、ボビン７３を収納する第２収納部７８ｂとが形成されている。ワイヤー７１はボビン７３の外周面７３ａに巻き付いた状態で、付勢部材７０の円弧部７０ａはそのワイヤー７１に覆い被さった状態でボビン７３と共に第２収納部７８ｂに収納される。
【００５９】
第１収納部７８ａと第２収納部７８ｂとの間には、ワイヤー７１が通るワイヤー通路７８ｃが形成されており、付勢部材７０の規制部７０ｂはこのワイヤー通路７８ｃのボビン７３寄りに収納される。ワイヤー通路７８ｃの滑車７２寄りには、ワイヤー７１をワイヤー通路７８ｃの中央へ導く案内リブ７８ｄが配置されている。
【００６０】
（昇降装置７の動作）
図５において、昇降装置７がワイヤー７１を繰り出す場合、昇降モータ７６はボビン７３をＣＣＷ方向へ回転させる。これによって、ボビン７３がワイヤー７１を繰り出す方向に回転する。一方、昇降装置７がワイヤー７１を巻き取る場合、昇降モータ７６はボビン７３をＣＷ方向へ回転させる。これによって、ボビン７３がワイヤー７１を巻き取る方向に回転する。ワイヤー７１の繰り出し量および巻き取り量は、昇降モータ７６の回転量に比例しており、制御部が、昇降モータ７６へ供給するパルス数を制御することによって、ワイヤー７１の繰り出し量および巻き取り量が制御される。
【００６１】
ワイヤー７１は吊り金具７０８を介して可動パネル２４と連結されているため、ワイヤー７１には常に張力が発生しており、ワイヤー７１が繰り出されるとき、又はワイヤー７１が巻き取られるとき、滑車部７２ａがワイヤー７１との摩擦力によって回転する。このとき、カム部７２ｂも回転するので、第１スイッチ７７は、レバー７７ａがカム部７２ｂの大径曲面と対峙したときにオン信号を発し、レバー７７ａが小径曲面と対峙したときにはオフ信号を発する。滑車７２が回転している間は、オン信号とオフ信号が交互に発生し、これらの信号は、すべて制御部に入力される。
【００６２】
しかし、何らかの要因でワイヤー７１が弛み張力がなくなった場合、例えば、メンテナンスのためにワイヤー７１を繰り出して可動パネル２４を降下させているときに、所定の繰り出し量に達する前に、可動パネル２４がテーブルなどの上に着地して停止した場合には、ワイヤー７１と滑車部７２ａとの摩擦力が減退し滑車７２が停止する。このため、第１スイッチ７７からは、オン信号又はオフ信号のいずれか一方が連続的に出力される。このとき、制御部では、昇降モータ７６が回転しているときに第１スイッチ７７からの信号が一定になっていることから、可動パネル２４が何らかの障害物によって停止したと推定し、直ちに昇降モータ７６を停止させる。
【００６３】
（可動パネルの開閉動作）
図７は、可動パネルが吸込口を開いた状態の斜視図である。図７において、ヒンジ連結装置６が可動パネル２４を連結した状態で、昇降装置７がワイヤー７１を繰り出したとき、可動パネル２４は自重によって降下する。しかし、可動パネル２４の端部はヒンジ連結装置６に連結されているので、可動パネル２４は回動レバー６１の回動軸を中心として、吸込口２０ａを開く方向へ回動する。
【００６４】
一方、昇降装置７がワイヤー７１を巻き取るとき、可動パネル２４は上昇するが、可動パネル２４の端部がヒンジ連結装置６に連結されているので、可動パネル２４は回動レバー６１の回動軸を中心として、吸込口２０ａを閉じる方向へ回動する。
【００６５】
（可動パネルの昇降動作）
図８は、可動パネルが降下している状態の斜視図である。図８において、ヒンジ連結装置６が可動パネル２４の端部との連結を解除し、昇降装置７がワイヤー７１を繰り出したとき、可動パネル２４は自重によって降下する。一方、昇降装置７がワイヤー７１を巻き取るとき、可動パネル２４は上昇し、可動パネル２４が吸込口２０ａを閉じる。
【００６６】
＜特徴＞
（１）
昇降装置７は、昇降モータ７６によってボビン７３を回転させ、ボビン７３の外周面７３ａにワイヤー７１を巻き付ける。ボビン７３の外周面７３ａに巻き付いたワイヤー７１には、円弧状に成形された樹脂製の付勢部材７０が弾性力によって覆い被さり、ワイヤー７１を外周面７３ａ側に押付ける。ボビン７３がワイヤー７１を巻き取るとき、山状に巻き付くワイヤー７１を付勢部材７０が押えるので、ワイヤー７１が外周面７３ａに均等に巻き付くようになり、ワイヤー７１がボビン７３を越えて外れることが防止される。また、巻き付いたワイヤー７１の高さが変化したときでも、ワイヤー７１と付勢部材７０との隙間が瞬時に詰められるので、ワイヤー７１が緩んで解けることが防止される。
【００６７】
（２）
付勢部材７０には、ワイヤー７１がボビン７３に巻き付く前にワイヤー７１を外周面７３ａへ導く規制部７０ｂを有している。この規制部７０ｂは、ボビン７３の回転時にボビン７３が回転軸方向に振れることを防止する機能も有しているので、ワイヤー７１がボビン７３に安定して巻き付く。
【産業上の利用可能性】
【００６８】
以上のように、本発明によれば、空気吸込口の近傍にワイヤーを介して吊られる可動パネルをワイヤーの動作によって昇降させる空調室内機の可動パネル昇降装置に有用である。
【図面の簡単な説明】
【００６９】
【図１】本発明の一実施形態に係る昇降装置を備えた空調室内機の外観斜視図。
【図２】（ａ）空調室内機の運転停止時の側面図。（ｂ）空調室内機の運転時の側面図。（ｃ）空調室内機のメンテナンス時の側面図。
【図３】空調室内機の断面図。
【図４】化粧パネルの斜視図。
【図５】昇降装置内部の部品の配置図。
【図６】昇降装置のワイヤー巻き取り・繰り出し機構の分解斜視図。
【図７】可動パネルが吸込口を開いた状態の斜視図。
【図８】可動パネルが降下している状態の斜視図。
【符号の説明】
【００７０】
２  空調室内機
２０  本体
２０ａ  吸込口
２４  可動パネル
７０  付勢部材
７０ａ  円弧部
７０ｂ  規制部
７１  ワイヤー
７３  ボビン（巻付部材）
７３ａ  外周面
７６  モータ
【図１】
2010025416.tif 000003
【図２】
2010025416.tif 000004
【図３】
2010025416.tif 000005
【図４】
2010025416.tif 000006
【図５】
2010025416.tif 000007
【図６】
2010025416.tif 000008
【図７】
2010025416.tif 000009
【図８】
2010025416.tif 000010